(57)【要約】  引出しスライドは、外スライド、閉鎖位置と伸張位置との間で外スライドに対して移動可能な内スライド、第一係合部材、第一係合部材と係合することによって内スライドを閉鎖位置に掛止するラッチ位置と第二係合部材から係合解除する解除位置との間を移動可能な第二係合部材、外スライドと内スライドのいずれか一方に連結され、かつ内スライドが閉鎖位置に接近するときに、内スライドを伸張位置へ付勢する形態の第一スプリングを含む。
2009513263.tif 000002
【特許請求の範囲】
【請求項１】
外スライドと、
閉鎖位置と伸張位置との間を前記外スライドに対して移動可能な内スライドと、
第一係合部材と、
第一係合部材と係合することによって内スライドを閉鎖位置に掛止するラッチ位置と第一係合部材から解除するラッチ解除位置との間を移動可能な第二係合部材と、
前記外スライドと内スライドのいずれか一方に連結され、前記内スライドが閉鎖位置の近くにあるときに、前記内スライドを伸張位置へ付勢する少なくとも一つの第一ばねとを含む、引出しスライド。
【請求項２】
第一係合部材が第二スライドに連結され、第二係合部材が前記外スライドに連結されている、請求項１に記載の引出しスライド。
【請求項３】
第一係合部材が外スライドとに連結され、第二係合部材が内スライドに連結されている、請求項１に記載の引出しスライド。
【請求項４】
第一係合部材が前記内スライドのウェブ上に装着されている、請求項１に記載の引出しスライド。
【請求項５】
前記内スライドに連結されたブラケットを更に含み、第一係合部材が前記ブラケット上に装着されている、請求項１に記載の引出しスライド。
【請求項６】
前記外スライドに連結されたガイドブロックを更に含み、第二係合部材が前記ガイドブロックに装着されている、請求項１に記載の引出しスライド。
【請求項７】
前記ガイドブロックが、少なくとも一つの第一ばねを収容するための少なくとも一つのスロット付きキャビティを含む、請求項６に記載の引出しスライド。
【請求項８】
前記ガイドブロックが、第二係合部材の前方に長手方向のスロットを含み、前記長手方向スロットは、前記内スライドが伸張位置から閉鎖位置へ移動するときに、第一係合部材を第二係合部材へ案内する、請求項６に記載の引出しスライド。
【請求項９】
前記長手方向スロットが、外スライド部材に対する内スライド部材の横方向移動を実質的に防ぐ、請求項８に記載の引出しスライド。
【請求項１０】
第二係合部材を第一方向に付勢するように構成された第二ばねと、第二係合部材を第二方向に付勢するように構成された第三ばねを更に含み、第一方向は第二方向と反対である、請求項１に記載の引出しスライド。
【請求項１１】
第二係合部材が、
後部くぼみと第一係合部材にスライド可能に係合するように構成された斜面とを含む前部突起と、
前記後部くぼみから離隔した後部フィンガーを含み、
前記後部くぼみと後部フィンガーは、第二係合部材のラッチ位置と第二係合部材の解除位置との間で第一係合部材を案内するように構成された容器を形定している、請求項１に記載の引出しスライド。
【請求項１２】
外スライドと、
閉鎖位置と伸張位置との間を移動可能なように前記外スライドに連結された内スライドと、
前記内スライドに連結された第一係合部材と、
前記外スライドに連結されたガイドブロックとを含み、前記ガイドブロックは、
前記内スライドが閉鎖位置の近くにあるときに、前記内スライドを伸張位置へ付勢するように構成された少なくとも一つの第一ばねと、
第一方向とその反対の第二方向に移動可能な第二係合部材であって、第一係合部材に係合するように構成された傾斜した前部突起と、前記前部突起の後部に設けられて第一係合部材を受けるように構成された容器とを有する第二係合部材と、
第一及び第二方向のいずれか一方において第二係合部材を付勢することにより移動するように構成された少なくとも一つの第二ばねとを含み、
第一係合部材は、内スライドが閉鎖位置の近くまで移動するときに、少なくとも一つの第二ばねの付勢に対して傾斜した前部突起に沿って第一係合部材をスライドさせることによって、第二係合部材を第一方向に移動させるように構成され、
第一係合部材は、前記内スライドが閉鎖位置にあるときに前記容器に受け入れられ、
第一ばねは、第一係合部材が前記容器の外側にあるときに、前記内スライドを伸張位置へ付勢する、引出しスライド。
【請求項１３】
第一係合部材が前記内スライドのウェブ上に装着されている、請求項１２に記載の引出しスライド。
【請求項１４】
前記内スライドに連結されたブラケットを更に含み、第一係合部材が前記ブラケット上に装着されている、請求項１２に記載の引出しスライド。
【請求項１５】
前記ガイドブロックが、少なくとも一つの第一ばねを収容するための少なくとも一つのスロット付きキャビティを含む、請求項１２に記載の引出しスライド。
【請求項１６】
前記ガイドブロックが、第二係合部材の前方に長手方向のスロットを含み、前記長手方向スロットは、前記内スライドが閉鎖位置に近くにあるときに、第一係合部材を第二係合部材へ案内するように構成されている、請求項１２に記載の引出しスライド。
【請求項１７】
前記長手方向のスロットが、前記外スライド部材に対する前記内スライド部材の横方向の移動を実質的に防ぐように構成されている、請求項１６に記載の引出しスライド。
【請求項１８】
第二方向に第二係合部材を付勢するように構成された第三ばねを更に含み、第二ばねは第二係合部材を第一方向へ付勢するように構成されている、請求項１２に記載の引出しスライド。
【請求項１９】
外スライドと、
閉鎖位置と伸張位置との間の伸張方向に沿って、前記外スライドに対して移動可能な内スライドと、
前記外スライドに対して前記内スライドを掛止及び解放する手段であって、伸張方向に沿って移動するように構成された第一係合部材と、伸張方向を横切って移動するように構成された第二部材とを含み、第一係合部材は、閉鎖位置において第二係合部材と係合するように構成され、伸張位置において第二係合部材から解除されるように構成された手段と、
前記外スライドと内スライドのいずれか一つに連結され、前記内スライドが閉鎖位置の近くにあるときに、前記内スライドを伸張位置へ付勢するように構成されている少なくとも一つの第一ばねとを含む、引出しスライド。
【請求項２０】
第一係合部材が前記内スライドに連結され、第二係合部材が前記外スライドに連結されている、請求項１９に記載の引出しスライド。
【請求項２１】
第一係合部材が前記外スライドに連結され、第二係合部材が前記内スライドに連結されている、請求項１９に記載の引出しスライド。
【請求項２２】
第一係合部材と第二係合部材との係合が、前記外スライド部材に対する前記内スライド部材の横方向の移動を実質的に防止するように構成されている、請求項１９に記載の引出しスライド。
【請求項２３】
更に、伸張方向を横切る第二係合部材の移動を付勢するように構成された少なくとも一つのばねを含む、請求項１９に記載の引出しスライド。
【発明の詳細な説明】
【技術分野】
【０００１】
本発明は、全般的に引出しスライドに関し、更に詳しくはプッシュ式ラッチ装置付きの引出しスライドに関する。
【背景技術】
【０００２】
引出しスライドはキャビネット、キャビネット型の構造物、及びラック付きの家具に偏在している。一般的に、引出しスライドは、構造物に物を伸張可能に取り付けるのに役立つ。引出しスライドは、格納式引出しスライド、上下段引出しスライド、下側取り付け引出しスライド、その他のタイプの引出しスライドを含む多数の構造体に適用可能である。引出しスライド部材の円滑な伸張を可能にするように、引出しスライドの部材は、ボールベアリング等によって伸張可能に連結されることが多いが、部材が相互に係合する引出しスライドも使用されている。
【０００３】
便宜上、引出しに付いて述べると、引出しスライドは、引出し等を伸張可能にキャビネットに連結し、キャビネットからの引出しの伸張によって引出しの中身へのアクセスを容易にするのに使用されることが多い。引出しを開けるのに積極的な力を与えることなく、キャビネットに対して引出しを閉鎖位置に維持するような機構を設けることが望まれることが多い。このような機構は、引出しスライドとこれに関連する要素が引出しに必要とされる過剰空間が引出しのために利用可能な空間の量を減少するので、引出しスライドとこれに関連する要素が必要とする空間に加わらないことが望ましい。
【０００４】
時には、摩擦接触面を提供する戻り止めがこのような機能を達成し、著しい付加空間を利用せずにそれを実行する。この戻り止めは、完全な閉鎖とスライドの開放の両方が戻り止めによって提供される摩擦接触面に打ち勝つ力を要するように閉鎖位置の近傍のスライドの移動範囲に沿って設置される。したがって閉鎖されると、スライド部材とそれが取り付けられている引出しは、引出しが摩擦接触面に打ち勝つ充分な力で引っ張られるまで閉鎖位置に留まっている。
【０００５】
所望の摩擦接触面は、引出しの予定荷重その他の因子等の種々の点を考慮して決定されることが多く、特別な戻り止めの設計は、異なった用途に求められることが多い。更に、製造上の変化も戻り止めの性能にかなりの変化を与える。これに加えて、ハンドル等も引出しに必要とされ、戻り止めによって閉鎖位置に保持された引出しを使用者が容易に開くことを可能にし、多くの用途においてハンドルは審美的に喜ばれず、或いは医療用途等においては、医療現場で機能的に好ましくない理由で好まれない。
【０００６】
引出しを閉鎖位置に引っ張ることを助けるばねを使用した自己閉鎖型スライド等の自己閉鎖型引出しスライドも公知である。こうした例では、スライドの走行ラインと同方向のばねの力が、逆向きの力が加わるまで引出しを閉鎖位置に維持する。不幸なことに、自己閉鎖用に使用されるばねは、引出しに掛かる荷重が軽い場合でも重い場合でも無関係に、大きなばね力を必要とする重荷重の引出しを閉めることのできる力で引出しを駆動して閉鎖する。したがって、引出しを開けるには、特に軽荷重の引出しに対しては過剰な力が必要となる。それに加えて、戻り止めがある場合には、ハンドルは引出しを引っ張って開く必要がある。
【０００７】
引出しを閉鎖位置に保持するために、ロック機構が使用される。しかし、ロック機構は、一般的に引出しのロックを手動で解除する必要がある。こうした手動操作は指の巧妙な使用が必要で、指を緊密に囲われた空間内に挿入することが要求されることが多い。
【発明の開示】
【０００８】
（発明の概要）
開示の一形態によれば、引出しスライドは、外スライド、前記外スライドに対して閉鎖位置と伸張位置との間を移動可能な内スライド、第一係合部材、第一係合部材との係合によって、内スライドを閉鎖位置に掛止するラッチ位置と第一係合部材との係合を解除するラッチ解除位置との間を移動可能な第二係合部材、及び前記外スライドと内スライドのいずれか一方に連結されて、内スライドが閉鎖位置に接近すると前記内スライドを伸張位置へ付勢するように構成された第一ばねを具えている。
【０００９】
この開示の別の形態によれば、引出しスライドは、外スライド、閉鎖位置と伸張位置との間を移動可能なように前記外スライドに連結された内スライド、前記内スライドに連結された第一係合部材、及び前記外スライドの後部に連結されたガイドブロックを具えている。このガイドブロックは、内スライドが閉鎖位置に接近すると内スライドを伸張位置へ付勢するように構成された第一ばねと、第一方向と前記第一方向と反対側の第二方向に移動可能な第二係合部材であって、内スライドの第一係合部材と係合するように構成された傾斜した前部突起と、前記前部突起の後方に設けられて第一係合部材を受けるように構成された容器とを有する第二係合部材と、第二係合部材の移動を第一及び第二方向のいずれか一方に付勢するように構成された少なくとも一つの第二ばねとを具えている。第一係合部材は、前記内スライドが閉鎖位置の近傍まで移動するにつれて、少なくとも一つの第二ばねの付勢に抗して前記傾斜前部突起に沿って第一係合部材をスライドさせることによって、第二係合部材を第一方向に移動させるように構成されている。これに加えて、第一係合部材は、内スライドが閉鎖位置にある場合に、前記容器に受けられる。更に、第一ばねは、第一係合部材が容器の外側にある場合には、内スライドを付勢して伸張位置にスライドさせる。
【００１０】
開示の別の形態によれば、引出しスライドは、外スライドと、前記外スライドに対して閉鎖位置と伸張位置との間で伸張方向に沿って移動可能な内スライドとを具えている。前記引出しスライドは、更に前記外スライドに対して内スライドを掛止及び解除する手段を具え、前記掛止・解除手段は伸張方向に沿って移動するように構成された第一係合部材と、伸張方向を横切って移動するように構成された第二部材とを具え、第一係合部材は閉鎖位置において第二係合部材に係合し、伸張位置において第二係合部材を解放するように構成されている。この引出しスライドは、外スライドと内スライドのいずれか一方に連結されて、内スライドが閉鎖位置の近傍にあるときに、内スライドを伸張位置へ付勢する少なくとも一つの第一ばねを具えている。
【発明を実施するための最良の形態】
【００１１】
図1は、本発明の一形態によるプッシュ式ラッチ装置付きの引出しスライド１００を示す。図示のように、図1の引出しスライド１００は三つの部材からなる伸縮式引出しスライドであるが、種々の実施形態において二つの部材からなる伸縮式引出しスライド、上下引出しスライド、下側取り付け引出しスライドが使用される(図9に示され、そこに詳しく述べられている)。図示の三つの部材からなる伸縮式引出しスライドは、外スライド部材１１１、中間スライド部材１１３、及び内スライド部材１１５を具えている。これら外スライド部材１１１、中間スライド部材１１３、及び内スライド部材１１５のそれぞれは、長手方向のウェブ１２３，１２５，１２７の長手方向側面に沿って、それぞれ対面するレース（ｒａｃｅｗａｙｓ）１１７a、b、１１９a、b、１２１a、bを具えている。中間スライド部材１１３は外スライド部材１１１のレース１１７a、b内に収容され、内スライド部材１１５は中間部材のレース１１９a、b内に収容されている。軸受（図示しない）はレース内を走行してスライド部材１１１、１１３及び１１５を伸張可能に連結する。
【００１２】
全般的に、外スライド部材１１１はキャビネット(図示しない)に固定され、内スライド部材１１５は引出しに固定される。外スライド部材１１１のウェブ１２３はキャビネットの側壁に固定されてよい。例えば、外スライド部材１１１を面フレームキャビネット等のキャビネットの壁或いはフレームや、ラック装着用等のシャシーに固定するのに、ブラケット(図示しない)が使用可能である。同様に、内スライド部材１１５のウェブ１２７は、種々の装着機構を介して引出し(図示しない)の側面、或いはコンピュータケージ(図示しない)等の装置の部品に固定される。
【００１３】
外スライド部材１１１は、外スライド部材１１１の長手方向の端部の一方の近傍において、レース１１７a、bの間に入れ子状に収容される。この長手方向の端部は、外スライド部材１１１が装着されるキャビネット、ラック等の構造の後部に位置決めされるべき端に対応する。ガイドブロック１２９が外スライド部材１１１のウェブ１２３に取り付けられている。例えば、ガイドブロック１２９は、スナップ嵌合によってレース１１７a、ｂの間でウェブ１２３に取り付けられるような寸法と構造を有する。このスナップ嵌合は、ガイドブロック１２９を外スライド部材１１１のレース１１７a、ｂに摩擦によって取り付けることによって容易に行われる。別の例では、スナップ嵌合はガイドブロック１２９上の複数の突起やタブを外スライド部材１１１上の対応する孔に係合させることによって容易に行われる。ガイドブロック１２９は、外スライド部材１１１のレース１１７a、ｂの間に概ね適合するように構成された長手方向に配向された部１３３a、bを具えている。種々の実施形態において、これらの長手方向配向部１３３a、bは概ね円筒形、半円筒形、矩形、その他任意の形状であってよい。これらの部１３３a、ｂの形状と寸法は、内スライド部材１１５のレース１２１a、ｂを収容し且つ案内することができるように構成される。図１、２、９の例では、レース１２１a、ｂは円弧状の形状を有し、ここでは円弧状レース１２１a、bと称される。したがって、部１３３a、bは概ね円筒形或いは半円筒形の形状を有し、円弧状レース１２１a、ｂを収容している。
【００１４】
上述機能に加えて、いくつかの実施形態において、ガイドブロック１２９は外スライド部材１１１に対する内スライド部材１１５の垂直運動或いは変位を制御する機能を提供できる。したがって、ガイドブロック１２９の部１３３a、ｂは、内スライド部材１５５のレース１２１a、ｂの形状に対応した形状であり、内スライド部材１１５が閉鎖位置に到達すると、外スライド部材１１１に対する内スライド部材１１５の垂直位置を制御する。
【００１５】
殆どの実施形態において、ガイドブロック１２９はガイドブロック１２９を過ぎる中間スライド部材１１３の後退移動を阻止するのに充分な厚さ或いは高さを有する。ガイドブロック１２９は、中間スライド部材１１３に対面するバンパー１４４(図１、１a及び２に示されている)を具えている。中間スライド部材１１３とガイドブロック１２９との間の衝撃力の一部を吸収することに加えて、バンパー１４４は、この衝撃音を実質的に消すことができる。
【００１６】
図１aを参照すると、ガイドブロックは、円筒形部１３３a、bの一方にスロット付きのキャビティ１３７を有し、スロット付きキャビティ１３７は外スライド部材に対して長手方向に延在する。スロット付きキャビティ１３７のスロットは、内スライド部材１１５の円弧レース１１７a又は１１７ｂが、スロット付きキャビティ１３７に侵入し、レースがスロットを通過して延在するように位置決めされている。開示された例において、スロット付きキャビティ１３７が円筒形部１３３aにある場合を示している。スロット付きキャビティ１３７内にはばね１３９が長手方向に位置し、スロット付きキャビティ１３７内にレースが侵入するとばね１３９が圧縮されるようになっている。以下に示すように、ばね１３９は引出しスライドの作用に自己開放特性を与えると共に、閉鎖位置への引出しスライドの掛止を助ける。ガイドブロック１２９は、部１３３aに唯一のスロット付きキャビティ１３７を有しているように示されているが、部１３３ｂもばね(図示されていない)を収容可能なスロット付きキャビティ(図示されない)を有する。もう一つのばねがガイドブロック１２９に設けられ、それによって引出しスライドの自己開放特性が更に増強される。
【００１７】
ガイドブロックのウェブは窓１４１を有する。窓１４１内には可動体１４３が位置決めされ、可動体１４３はスライドの長手方向の長手とその伸張方向を横切る軸に沿って窓１４１内を移動又はスライド可能である。対向するばね１４５a、ｂが可動体１４３の位置を中立と想定される位置に維持する。対向するばね１４５a、ｂは、それぞれ、窓１４１の表面と可動体１４３の表面に当接する。したがって、合成されたばね力はスライドの長手方向の長手とその移動方向を横切る。このようにして、スライドが水平方向に延在し、そのウェブが垂直壁に取付けられているように観察される場合に、可動体１４３は垂直に移動或いはスライドし、他方スライダは水平に延在する。
【００１８】
可動体１４３は、内スライド部材１１５から延在するピン(図示されない)と相互作用する。前記ピンのベース１４７が図１と１aに示されている。このピンは内スライド部材１１５のウェブ１２７から外スライド部材１１１へ向って延在し、内スライド部材１１５の後端の近傍まで延びている。したがって、ピンは、内スライド部材１１５が閉鎖位置へ向って移動すると、ガイドブロック１２９の可動体１４３に接近する。作動の際には、内スライド部材１１５が閉鎖するときに、ピンは可動体１４３の一部に接触し、可動体１４３を中立位置から変位させる。可動体１４３が充分に変位すると、それはピンを保持し、それによって内スライド部材１１５を閉鎖位置に維持する。内スライド部材１１５を更に付勢して閉鎖位置を通過させると、可動体１４３は中立位置まで復帰し、ピンを解放する。したがって、ばね１３９の力によって内スライド部材１１５は外スライド部材１１１に対して伸張可能に平行移動する。
【００１９】
図２を参照すると、可動体１４３は、傾斜面２５３を形成する第一表面と、僅かに逆の傾斜面２５５を形成する第二表面と、後方に凹んだくぼみ２５７とを有する突起２５１を具えている。内スライド部材１１５が閉鎖するにつれて、ピンは傾斜面２５３に接触し、可動体１４３をその中立位置から変位させる。ピンが傾斜面２５３を離れると、可動体１４３は中立位置へ戻り、ピンを傾斜面２５３の背面の凹んだくぼみ２５７に保持する。
【００２０】
しかし、可動体１４３はピンを凹んだくぼみ２５７にいれたままでは中立位置に到達しない。代わりに、ピンは可動体１４３を付勢位置に維持し、ピンを凹んだくぼみから移動させなければならない場合には、可動体１４３は、対向ばね１４５a、ｂの作用を介して中立位置へ復帰する。可動体１４３が中立位置にあることによって、ピンは逆の僅かな傾斜面２５５を越えて通過可能となり、内スライド部材１１５を自由にして、ばね１３９の力を介して外スライド部材１１１から伸張させる。
【００２１】
上述のように、ガイドブロック１２９内の長手方向ばね１３９は、ピンを凹んだくぼみ２５７に保持することを助ける。ばね１３９が内スライド部材１１５を前方に付勢すると、ピンは押されて凹んだくぼみ２５７に対して押し付けられる。しかし、更に内スライド部材１１５に連結された引出しを押すこと等によって閉鎖力が加えられると、ピンは凹んだくぼみ２５７の外形に沿って凹んだくぼみ２５７を離れ、可動体１４３を解放して中立位置に復帰させる。次に、閉鎖力が除去されると、ばね１３９は内スライド部材１１５を前進させ、ピンを可動体へ通過させ、内スライド１１５を開放位置へ付勢する。
【００２２】
図１aは図１の領域１aの拡大図である。ガイドブロック１２９は、外スライド部材１１１のレース１１７a、ｂの間に取付けられている。中間スライド部材１１３はガイドブロック１２９に当接し、ガイドブロック１２９は中間スライド部材１１３のための内方ストッパとして役立つ。しかし、内スライド部材１１５は、ガイドブロック１２９上方からその中へ通過可能であり、一方のレース１１９ｂがガイドブロック１２９の部分１３３ｂによって案内され、他方のレース１１９aがガイドブロック１２９のスロット付きキャビティ１３７へ通過可能である。スロット付きキャビティ１３７は、内スライド部材１１５を前方に付勢するための長手方向のばね１３９を具え、ばね１３９の端には内スライド部材１１５との接触を改善するためにキャップ２５９が付いている。
【００２３】
図２を参照すると、可動体１４３は第一突起２５１と第一突起２５１の後部の第二突起２６１を具えている。第二突起２６１は第一突起２５１を指向するフィンガー２６３を具えている。このフィンガー２６３は、内スライド部材１１５が閉鎖するときに内スライド部材１１５のピンを第一突起２５１の凹んだくぼみ２５７へ案内し、ピンが凹んだくぼみ２５７から離脱するときに第一突起２５１との係合から離脱したピンを案内することを助ける。
【００２４】
図２に示されるように、第一ばね１４５aは可動体１４３の後部に向かって位置決めされている。第一ばね１４５aは、可動体１４３に対するばね１４５aの位置を維持するポスト２６３aの周囲に巻かれている。第二ばね１４５ｂは可動体１４３の前部に向かって位置決めされている。第二ばね１４５ｂは、可動体１４３に対してばね１４５ｂの位置を維持するポスト２６３ｂの周囲にも巻かれている。ポスト２６３a、ｂは可動体１４３の対応するキャビティに収容されてよい。かくして、図２の第二実施形態において、ばね１４５aはばね１４５ｂとは軸方向に整列していない。この構成によって、ポスト２６３a、ｂを支持するキャビティに対してオフセットが提供され、可動体１４３の内側のキャビティ３２７a、ｂ(図３aと３ｂに示されている)の間の重合や干渉が防止される。これに加えて、ばね１４５a、ｂの位置が一致していないので、ピンが斜面２５３、２５５に係合する際に可動体１４３の回転が減少する。更に、ピンが凹んだくぼみ２５７から解放される際に、ばね１４５a、b相互の不整合形態によって第一突起２５１に近いピンの通路から離れて第一突起２５１を移動させることができる。
【００２５】
図２に示されているように、可動体１４３は中立位置にあると考えられてよい。この中立位置において、ばね１４５a、ｂは自由状態位置にあるか、或いは相互に僅かに反対に作用する(可動体１４３上の重力が小さな影響を有して)。中立位置において、第一突起２５１の斜面２５３は内スライド部材１１５のピンの通路内にある。それ故、ピンは第一突起２５１の斜面２５３と係合可能であり、可動体１４３をばね１４５ｂの付勢力に抗して中立位置から離れるように移動させ、一方、ばね１４５aは自由状態位置を維持する。ピンが斜面２５３を越えた後、可動体１４３はばね１４５ｂの力によって中立位置へ向けて付勢される。しかし、凹んだくぼみ２５７がピンを捕捉する。この凹んだくぼみ２５７は、斜面２５３の近くの縁より後方に延在している斜面から離れた縁を有している。したがって、ピンは可動体１４３を中立位置に完全に戻らないように保持する。内スライド部材１１５が閉鎖位置に向かって更に付勢されると、ピンは凹んだくぼみ２５７を越える。図２、３a、３ｂに示されているように、フィンガー２６３は凹んだくぼみ２５７の中心に対して中心がずれるように構成され、細長い斜面２６５を提供している。内スライド部材１１５が閉鎖位置へ向けて更に付勢されると、細長い斜面２６５は、ピンが凹んだくぼみ２５７を越えることを助ける。そして、可動体１４３はピンが斜面２５５上を通過することを可能にし、長手方向のばね１３９は内スライド部材１１５とピンを前方へ付勢して、可動体１４３を通過させ、内スライド部材１１５を外スライド部材１１１に対して伸張させる。
【００２６】
図３a及び３ｂは可動体１４３の一実施形態を示す。可動体１４３は概ね矩形の本体３１１を具えている。三角形の突起３１３が矩形本体３１１の一面から延在している。突起３１３は三角形で示されているが、後述する機能を達成することができれば、任意の他の形状でよい。突起３１３は矩形状本体３１１の一隅を指向する頂点３１５を有する。三角形突起３１３は凹んだくぼみ２５７を有する。
【００２７】
第二突起３１９が、矩形本体３１１の同一面から延在している。第二突起３１９は延びたフィンガー３２３を有するベース３２１を具えている。このベース３２１は、フィンガー３２３が凹んだくぼみ２５７を指向するように、矩形状本体３１１の後部に向かって概ね位置決めされている。フィンガー３２３は、内スライド部材１１５のピンが凹んだくぼみ２５７に適切に着座するように助ける。加えて、ベース３２１はピンの両側にキャッチ受け３２５a、ｂを有する。キャッチ受け３２５a、ｂは、内スライド部材１１５に過剰な後方力が加えられた場合に、ピンの後方移動を制限する。矩形状本体３１１は、ポスト２６３a、ｂを収容するために、矩形本体の一面に隣接した表面にキャビティ３２７a、ｂを有する。
【００２８】
図３aと３ｂに示されているように、矩形状本体３１１は、それ自体、平らな背面部材３２９からの突起である。背面部材３２９は矩形状本体３１１の長手の前方及び後方に延在している。背面部材３２９は、背面部材３２９と同じ方向と同じ平面内に延在する二本の脚部３３１a、ｂを具えている。操作の際に、背面部材３２９は、矩形状本体３１１をガイドブロック１２９の窓１４１に保持するのに役立つ。スロット（一例が図１１にスロット１３３０として示されている）が、ガイドブロック１２９の窓１４１に周囲に形成されている。背面部材３２９と脚部３３１a、ｂは前記スロット内をスライド可能であるが、ガイドブロック１２９から遠ざかる矩形状本体３１１の運動を制限するために、充分に拘束される。
【００２９】
図４aと４ｂは、本発明の実施形態によるガイドブロック並びに保持ラッチ機構の別の実施形態を示す。図４aと４ｂの実施形態において、矩形状本体から長手方向に延びる可撓性脚部４１１a、ｂによって、板ばね状構造が設けられている。これらの可撓性脚部は、可動体の背面部材から延びている。図４ｂに示されているように、可撓性脚部と背面部材とは、大部分がガイドブロックの窓４１５の周囲の切欠き４１３内にあり、可撓性脚部は点４１７a、ｂにおいて可動体から離れて挟まれ或いは拘束される。内スライド部材のピンによって付与されると上述したように可動体に力が加えられると、可動体は移動し、同時に脚部を塑性変形させる。脚部が変形すると可動体の運動方向と反対の弾発力が発生する。
【００３０】
図５aと５ｂは、図４aと４ｂの実施形態と幾分似た別の実施形態を示す。図５aと５ｂの実施形態では、金属製のクリップ５１１又はピンが可動体の背面部材のスロット５１３を長手方向に横切っている。このクリップは両端に沿って曲がった部分を有し、曲がった部分はガイドブロックの小さなスロット５１５a、ｂに挿入されている。スロットはガイドブロックに対するクリップの若干の運動を可能にするが、曲がった部分がクリップの移動を制限する。或る実施形態ではワイヤばねと考えられてよいクリップは、ばねのように作用し、可動体を中立位置へ向けて付勢する。
【００３１】
図６aと６ｂは本発明の別の実施形態を示す。図６aと６ｂの実施形態では、可動体は回動点を中心に回動する。この回動点は、背面部材を貫通して突出する可動体のポスト６１１によって提供される。プラグがガイドブロックの孔６１３の中に延び、したがって前記プラグの位置はガイドブロックに対して固定される。しかし、可動体はプラグの前方にあり、ガイドブロックの切欠き６１７内の背面部材と概ね同じように、ガイドブロックの窓６１５内を移動可能である。幾つかの実施形態では、捻りばねが可動体を中立位置に付勢する。
【００３２】
図７aは、本発明による別の実施形態を示す。図７aの実施形態は、外スライド部材７１１、中間部材７１３及び内スライド部材７１５を有する三部材からなる伸縮自在なスライドを具えている。ガイドブロック７１７が外スライド部材のレース内に位置している。このガイドブロックは、内スライド部材のレースを受けるように構成されたスロット７２１内に長手方向のばね７１９を含む。
【００３３】
内スライド部材のウェブの後縁は、内スライド部材の長手を横切る鍵穴スロット７２３を有する。ガイドピン７２５或いはスライダーが、鍵穴スロット内に維持されている。図示実施形態において、鍵穴スロットは、内スライド部材のウェブの後縁に取り付けられたプラスチックの取付具７２７に設けられ、取付具７２７はガイドブロックの上に載るように構成される。
【００３４】
概ね円形の通路７２９がガイドブロックの切欠きによって形成されている。概ね円形の通路は切欠き内の高くなった孤立島（ｉｓｌａｎｄ）７３１を取り囲んでいる。高くなった孤立島は凹んだ切欠き７３３を有する。概ね円形の通路は、ガイドブロックの前縁に対して開口した漏斗状開口７３５のベースに対して開口している。この漏斗状開口は、内スライド部材のガイドピンを受け入れるように構成される。操作の際に、プラスチックの取付具は引出しのスライドが閉鎖する際にガイド部材上を乗り越え、ガイドピンはガイドブロックの切欠きの漏斗状開口に侵入する。ガイドブロックの漏斗状開口は、切欠きの概ね円形の通路に向いかつそこに入るガイドピンを案内する。図７ｂにより良く示されているように、漏斗状開口は、前記漏斗状開口と切欠きによって形成された概ね円形の通路との間の間隙７５１に向かって狭くなっている。内スライド部材が閉鎖位置に向かって移動を続けるときに、ガイドピンはこの間隙を通過して、第一傾斜スロープ７５３に付勢されて回転するまで切欠きの上面の周囲を移動し、円形通路の後部に向かう。
【００３５】
第一傾斜スロープは概ね円形の通路に突出したフィンガー７５５で終端する。フィンガーの縁でのガイドピンによる内スライド部材の解放の結果として、長手方向のばねが内スライド部材を前方へ付勢し、それによってガイドピンを孤立島の切欠き後縁内に押し込む。長手方向のばねによる力はガイドピンを孤立島の切欠き内に維持し、内スライド部材を閉鎖位置に掛止する。
【００３６】
ガイドピンを切欠きから解放による内スライド部材の解放は、内スライド部材を更に後方に付勢することによって達成される。これはガイドピンをフィンガーの逆スロープ７５７に係合させ、ガイドピンを孤立島の後部切欠きとの整合から移動させる。引き続く内スライド部材の解放によって、ばねは内スライド部材を前方へ付勢し、ガイドピンを孤立島の下を通過させ、通路の上方スロープ７５９に接触させ、ガイドピンを間隙へ付勢し、漏斗状開口から出す。
【００３７】
図８aと８ｂは、本発明の一形態による別の実施形態を示す。図８aにおいて、アーム８１１は内スライド部材のウェブから後方に延びている。このアームは、回動可能に取り付けられている回動点８１３を中心に回動する。図８ｂに示されているように、このアームは、通常は、ばね８１５によって第一位置に向かって付勢されている。
【００３８】
前記アームは、前端（アームの前端が回動点の近くにあると考えれば、後端）の近くにピン（そのベース８１７が図８aに見られる）を具えている。このピンは中間スライド部材及び外スライド部材に向かって伸張している。スライドが閉鎖位置へ移動するときに、ピンは切欠きへ侵入する。この切欠きは図７aと７ｂの実施形態の切欠きと幾つかの類似点があり、孤立島８２０の周囲に概ね円形の通路８１９を形成し、漏斗８２１がこの概ね円形の通路へ通じている。更に詳しくは、図８aと８ｂの実施形態では、切欠きが仕切られた概ね円形の通路を形成している。この通路は、図示形態では出っ張りや斜面８２３を有し、通路に沿ったピンの逆方向の移動を防止する。引出しスライドが閉鎖するときに、このピンは漏斗の縁に接触し、乗り上げる。
【００３９】
このように、切欠きは大きな漏斗状開口を有する。引出しスライドが閉鎖すると、ピンは漏斗の縁に接触して乗り上げる。漏斗状開口は切欠きの縁と前記切欠きの中央の孤立島との間の間隙に向かって狭くなっている。切欠きには出っ張りが形成される。第一湾曲部８２５が漏斗の上部の後の概ね円形の通路内に形成され、第一湾曲部はピンの移動の後ストッパを提供する。第一湾曲部は、ピンを概ね円形の通路の中心へ向け且つ孤立島の後切欠き縁８２７の後方へ付勢する。この位置において内スライド部材をピンから解放すると、内スライド部材の一部と相互作用するガイドブロック内のスロットの長手方向のばねによって付与される前方付勢によって、内スライド部材は前方へ付勢される。
【００４０】
外スライド部材の後部へ向かわせる内スライド部材への力の付与によって、ピンは後切欠きから解放される。この力はピンを切欠きから変位させ、且つ半円形通路の第二湾曲部と前記切欠きの近傍の半円形通路に形成された傾斜スロープの組み合わせを介してピンを第二後ストッパ８２９へ向けて半円形通路を横切って移動させる。内スライド部材を第二後ストッパのピンから解放すると、長手方向ばねは内スライド部材、したがってピンを前方へ付勢し、半円形通路の通過を完了し、同時にピンをそのラッチから解放する。通路の通過が完了すると、ピンは上昇スロープを有する最終の斜面を通過する。この斜面の上昇スロープは、漏斗によって形成された切欠きの表面上方への通路の出口の上昇に役立ち、通路の出口で不本意に侵入するピンに対して漏斗の縁が壊破しないようにする。
【００４１】
図９を参照すると、本発明によって構成されたプッシュ式ラッチ装置を具えた下側装着型引出しスライドが示されている。この引出しスライド１０００は外スライド部材１１１１と、外スライド部材１１１１にスライド可能に装着された内スライド部材１１１５とを具えている。この引出しスライドは、外スライド部材１１１１にスライド可能に装着された中間スライド(図示されない)を具えてよく、その上に内スライド部材１１１５が装着されてスライドする。外スライド部材１１１１はL字形の長手方向ウェブ１１２３を形成するように構成された上部１１１６aと下部１１１６ｂを有する。上部１１１６aは、外スライド部材１１１１をキャビネット(図示されない)の側壁に取り付けるプレートの形をしている。内スライド部材１１１５は下部１１１６ｂにスライド可能に装着され、外スライド部材１１１１に対して伸張可能である。内スライド部材１１１５は引出し(図示されない)の下側に連結可能で、外スライド部材１１１１に対して、したがってキャビネットに対して引出しの延長部を提供する。図９には、引出しスライドの前部が示されている。即ち、内スライド部材１１１５は、外スライド部材１１１１に対して矢印１１７の方向に伸張する。
【００４２】
引出しスライドは、ガイドブロック１１２９とブラケット１１３０を有するプッシュ式ラッチ装置を具え、その機能は以下の通りである。外スライド部材１１１１はガイドブロック１１２９を担持し、これはファスナ付き或いは無しでウェブに連結或いは取り付けられる。ブラケット１１３０は内スライド部材１１１５に連結され、内スライド部材１１１５と共にガイドブロック１１２９に対して移動する。ブラケット１１３０はガイドブロック１１２９に係合して内スライド部材１１１５を外スライド部材１１１１に掛止し、そしてブラケット１１３０をガイドブロック１１２９から離脱させて、外スライド部材に対する内スライド部材１１１５の移動を可能にする。
【００４３】
図１０と１１を参照すると、ガイドブロック１１２９の外側１１８０と内側１１８２が示されている。外側１１８０は、ガイドブロック１１２９の前側から後側の方に狭くなるスロット付きのガイド通路１１８４を有する。ガイドブロック１１２９は、ばね１１３９が収容されたスロット付きのキャビティ１１３７を有する。ばね１１３９はキャップ１２５９を具えている。図１１に示されているように、可動体１１４３が、ガイドブロック１１２９の窓１１４１に移動可能に装着される。可動体１１４３は、窓１１４１の中をスライドの長手と伸張方向を横切る軸に沿って移動可能である。可動体１１４３の運動もしくは移動は、ばね１１４５aと１１４５ｂによって付勢される。ガイドブロック１１２９は窓１１４１に一対の相互離隔したスロット１３３０を有し、その中に可動体１１４３の二本の離隔した脚部１３３１aと１３３１ｂ（これは図３aと３ｂの可動体１４３の脚部３３１aと３３１ｂと類似している）が収容されて、可動体１１４３の移動を案内する。可動体１１４３は図３aと３ｂの可動体１４３と類似し、ここでは、可動体１１４３の部品は可動体１４３の部品と同じ符号を付している。したがって、図３aと３ｂの実施形態に関して上述した可動体１１４３の詳細は、説明を簡単にするためにここでは繰り返さない。
【００４４】
図１２を参照すると、ブラケット１１３０が詳しく示されている。ブラケット１１３０は、一端にU字形チャンネル１１９０と、他端に直立タブ１１９２を具えている。直立タブ１１９２は、タブ１１９２から外方に突出したピン(図示しない)を具える。ピンのベース１１９４が図１２に示されている。図９に戻って参照すると、ピンがスロット付きのガイド通路１１８４を通って可動体１１４３に係合するようにブラケット１１３０は内スライド部材１１１５に連結されてよい。したがって、U字形のチャンネル１１９０はスロット付きのキャビティ１１３７を横切って、ばね１１３９を圧縮する。ブラケット１１３０は、内スライド部材１１１５を可動体１１４３に係合させるためのピンと、ばね１１３９に係合する構造を提供する一例を表す。他の実施形態において、別のブラケットや他の取付け部品が使用される。
【００４５】
図９〜１１を参照すると、内スライド部材１１１５が閉鎖位置へ向けて移動されると、ベース１１９４(孔として示されている)から外方に伸張したピン(図示しない)はガイドブロック１１２９のスロット付きガイド通路１１８４に侵入する。スロット付きガイド通路１１８４の漏斗状形状によって、ピンは可動体１１４３へ案内される。ピンはガイド通路１１８４へ誘導されて、内スライド部材１１１５と外スライド部材１１１１との間に適切に位置決めされ、そのようにして引出しが閉じられると、引出しはキャビネットに対して適正に位置決めされる。それに加えて、ガイド通路１１８４の狭くなった部分が、引出しが閉鎖された場合に引出しの側−側移動即ち横方向移動を防止する。したがって、ガイド通路１１８４は、引出しが常に同一側方位置に閉鎖されることを確実にする。更に、図９に示されるように、U字形チャンネル１１９０は、スロット付きのキャビティ１１３７に侵入し、ばね１１３９を圧縮する。
【００４６】
可動体１１４３とピンとの係合は、第一実施形態に関して前述されたものと類似している。可動体１１４３は、ブラケット１１３０の直立タブ１１９２から延びたピン(図示されない)と相互作用する。したがって、内スライド部材１１１５が閉鎖位置へ移動すると、ピンはガイドブロック１１２９の可動体１１４３に接近する。内スライド部材１１１５が閉鎖すると、ピンは可動体１１４３に接触し、可動体１１４３を中立位置から変位させる。可動体１１４３は、充分に変位してピンを保持し、それによって内スライド部材１１１５を閉鎖位置に保つ。閉鎖位置を過ぎてなお内スライド部材１１１５を押すと、可動体１１４３は中立位置に復帰し、ピンを解放する。したがって、ばね１１３９の力は内スライド部材１１１５を外スライド部材１１１１に対して伸張可能に平行移動させる。
【００４７】
図１１に示されているように、図２のガイドブロック１２９と同様に、第一ばね１１４５aが可動体１１４３の後部に向けて位置決めされている。第一ばね１１４５aは、可動体１１４３に対してばね１１４５aの位置を維持するポスト１２６３aの周囲に巻かれている。第二ばね１１４５ｂが、可動体１１４３の前部に向けて位置決めされている。第二ばね１１４５ｂは、可動体１１４３に対してばね１１４５ｂの位置を維持するポスト１２６３ｂの周囲に巻かれている。ポスト１２６a、ｂは可動体１１４３の対応するキャビティ内に収容されている。このように、図２と同様に、図１１の実施形態において、ばね１１４５aはばね１１４５ｂと軸方向に整合していない。
【００４８】
図１３を参照すると、可動体のもう一つの実施形態が示されている。可動体１２４３は多くの点で図３aと３ｂの可動体１４３と類似している。したがって、図３a、３ｂ及び１３において、類似の部品は類似の符号で表されている。可動体１２４３は下部片１４１０と上部片１４２０を有する二つの片からなる前部突起１３１３を具えている。下部片１４１０と上部片１４２０の両者は可撓性材料で作られる。上部片１４２０は下部片１４１０とは間隔をおいて設けられ、間にキャビティ１４２１を形成している。このキャビティ１４２１は後間隙１４２２と前間隙１４２４を介して接近が可能である。二つの片１４１０と１４２０は斜面１２５３、斜面１２５５及び凹んだくぼみ１２５７を形成し、これらは図１、３a、３ｂの斜面２５３、斜面２５５及び凹んだくぼみ２５７と類似の機能を有する。
【００４９】
可動体１４３の作用と同様に、内スライド部材１１５、１１１５のピンは、内スライド部材１１５、１１１５が閉鎖位置のときに、可動体の凹んだくぼみ１２５７に位置する。前述のように、内スライド１１５,１１１５が閉鎖位置を過ぎて移動するときに、ピンはくぼみ１２５７から出て、斜面１２５５に沿ってスライドし、外スライド１１１、１１１１に対する内スライド１１５、１１１５の伸張を可能にする。しかし、上述のラッチ解除機構が故障した場合には、可動体１２４３はピンを凹んだくぼみ１２５７から解放する。ピンを凹んだくぼみ１２５７から解放できない場合には、内スライド１１５、１１１５は外方、即ち閉鎖方向とは逆に引っ張ることができる。二つの片１４１０と１４２０は可撓性であるので、この引っ張りによってピンは後間隙１４２２を通ってキャビティ１４２１に侵入する。引っ張りを続けると、ピンは前間隙１４２４を通ってキャビティ１４２１を出て、可動体１２４３からピンが解放される。したがって、可撓性の片１４１０と１４２０を有する可動体１２４３は、上述のラッチ機構が故障した場合に、外スライド部材１１１、１１１１から内スライド部材１１５、１１１５を解放することができる。
【００５０】
引出しスライド１００、１０００の構成部品は、種々の金属、プラスチック材料で作ることができる。引出しスライドを高温で使用する場合には、これらの部品は金属で作られる。更に、上述の可動体１２４３のためには、前突起１３１３は可撓性プラスチックで作られ、前述の可撓性機能が付与される。
【００５１】
このように、本発明の形態は引出しスライドとラッチ機構を提供する。本発明を特定の実施形態に関して述べたが、本発明は特許請求の範囲とこの開示に支持された未開示の改変を含む。
【図面の簡単な説明】
【００５２】
【図１】本発明の実施形態によるプッシュ式ラッチ装置付きの引出しスライドを示す。
【図１ａ】図１の領域１aの拡大図を示す。
【図２】図１のプッシュ式ラッチ装置のガイドブロックの斜視図を示す。
【図３ａ】図２のガイドブロックの可動体の後部斜視図を示す。
【図３ｂ】図２のガイドブロックの可動体の前部斜視図を示す。
【図４】ａ及びｂは本発明の形態によるガイドブロックと可動体の別の実施形態を示す。
【図５】ａ及びｂは本発明の形態によるガイドブロックと可動体の更に別の実施形態を示す。
【図６】ａ及びｂは本発明の形態によるガイドブロックと可動体の更に又別の実施形態を示す。
【図７】ａ及びｂはガイドピン用の通路を有するガイドブロック付きの内スライド部材に連結されたガイドピンを有する本発明の一実施形態を示す。
【図８】ａ及びｂは内スライドに連結され、ガイドブロックの切欠きにおける区分された通路に従うように構成された内側引出しスライドに連結された付勢可能なアームを具えた本発明の実施形態を示す。
【図９】本発明によるプッシュ式ラッチ装置付きの下側装着型引出しスライドを示す。
【図１０】図９のプッシュ式ラッチ装置の前部斜視図を示す。
【図１１】図９のプッシュ式ラッチ装置の後部斜視図を示す。
【図１２】図９のプッシュ式ラッチ装置のブラケットの斜視図である。
【図１３】本発明による可動体の別の実施形態を示す。
【図１】
2009513263.tif 000003
【図１ａ】
2009513263.tif 000004
【図２】
2009513263.tif 000005
【図３ａ】
2009513263.tif 000006
【図３ｂ】
2009513263.tif 000007
【図４ａ】
2009513263.tif 000008
【図４ｂ】
2009513263.tif 000009
【図５ａ】
2009513263.tif 000010
【図５ｂ】
2009513263.tif 000011
【図６ａ】
2009513263.tif 000012
【図６ｂ】
2009513263.tif 000013
【図７ａ】
2009513263.tif 000014
【図７ｂ】
2009513263.tif 000015
【図８ａ】
2009513263.tif 000016
【図８ｂ】
2009513263.tif 000017
【図９】
2009513263.tif 000018
【図１０】
2009513263.tif 000019
【図１１】
2009513263.tif 000020
【図１２】
2009513263.tif 000021
【図１３】
2009513263.tif 000022
【国際調査報告】
2009513263.tif 000023